(57)【特許請求の範囲】
【請求項１】
複数のクライアント装置が接続され、第１の下り及び上り伝送路と第２の下り及び上り伝送路を介してノード間で光信号を伝送するための光１：１切替装置において、
各々の前記ノードは、
第１及び第２のクライアント装置と第１又は第２の下り伝送路とを切替接続し、第１及び第２のクライアント装置と第１又は第２の上り伝送路を切替接続する光スイッチと、
第２のクライアント装置と前記光スイッチとの間に設けられた上り及び下りゲートと、
前記光スイッチと、前記上り及び下りゲートを制御するコントローラとを備え、
第１のノードと第２のノードとの間で第１の下り伝送路により信号を伝送しているとき、前記第２のノードにより、第１の下り伝送路の障害が検出された場合、前記第２のノードでは、前記コントローラが、前記下りゲートを制御して伝送経路を遮断又は減衰し、
前記第２のノードから前記第１のノードに、第１又は第２の上り伝送路を経て切替要求を送信し、
前記第１のノードは、切替要求を受信すると、前記コントローラにより前記光スイッチの切替処理を行い、前記第１のクライアント端末を第２の下り伝送路に接続し、
前記第１のノードから前記第２のノードに、第２の下り伝送路を経て切替要求を送信し、
前記第２のノードでは、切替要求を受信すると、前記コントローラにより前記光スイッチの切替処理を行い、前記第１のクライアント端末を第２の下り伝送路に接続するようにした光１：１切替装置。
【請求項２】
複数のクライアント装置が接続され、第１の下り及び上り伝送路と第２の下り及び上り伝送路を介してノード間で光信号を伝送するための光１：１切替装置において、
各々の前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１及び第２の伝送路入力装置が接続され、第１又は第２の下り伝送路に切り替えるための第１の光スイッチと、
前記第１及び第２の伝送路出力装置が接続され、第１又は第２の上り伝送路に切り替えるための第２の光スイッチと、
前記第１及び第２の光スイッチと、前記第１及び第２の伝送路入力装置、前記第１及び第２の伝送路出力装置を制御するコントローラとを備え、
第１のノードと第２のノードとの間で第１の下り伝送路により信号を伝送しているとき、前記第２のノードにより、第１の下り伝送路の障害が検出された場合、前記第２のノードでは、前記コントローラが、前記第２の伝送路出力装置を制御して伝送経路を遮断又は減衰し、
前記第２のノードから前記第１のノードに、第１又は第２の上り伝送路を経て切替要求を送信し、
前記第１のノードは、切替要求を受信すると、前記コントローラにより前記第１の光スイッチの切替処理を行い、前記第１の伝送路入力装置を第２の下り伝送路に接続し、
前記第１のノードから前記第２のノードに、第２の下り伝送路を経て切替要求を送信し、
前記第２のノードでは、切替要求を受信すると、前記コントローラにより前記第１の光スイッチの切替処理を行い、前記第１の伝送路出力装置を第２の下り伝送路に接続するようにした光１：１切替装置。
【請求項３】
複数のクライアント装置が接続され、第１の上り及び下り伝送路と、第２の上り及び下り伝送路を介してノード間で光信号を伝送する光１：１切替装置において、
前記ノードは、
伝送路側からクライアント装置側へ光信号を出力する第１及び第２の伝送路出力装置と、
クライアント装置側から伝送路側へ光信号を入力する第１及び第２の伝送路入力装置と、
前記第１の伝送路入力装置が接続され、第１及び第２の上り伝送路に分岐するための光分岐器と、
前記第1の下り伝送路又は前記第２の下り伝送路を、前記第1の伝送路出力装置への経路に接続する第１の光スイッチと、
前記第２の下り伝送路を、前記第１の光スイッチへの経路又は前記第２の伝送路出力装置への経路に接続する第２の光スイッチと、
前記光分岐器からの経路又は前記第２の伝送路入力装置からの経路を、前記第２の上り伝送路に接続する第３の光スイッチと、
前記第２の光スイッチからの経路又は第１の受信用伝送路を、第１の伝送路出力装置に接続するための第３の光スイッチと、
前記第１乃至第３の光スイッチと、前記第１及び第２の伝送路入力装置、前記第１及び第２の伝送路出力装置を制御するコントローラとを備え、
他ノードとの間で第１の伝送路により信号を伝送しているとき、第１の下り伝送路の障害を検出した場合、前記コントローラが、前記第２の伝送路出力装置を制御して伝送経路を遮断又は減衰し、
前記他ノードに、第１又は第２の上り伝送路を経て伝送路の切替要求を送信することを特徴とする光１：１切替装置。
【請求項４】
前記他のノードへ伝送路の切替要求を送信した後で前記他ノードから伝送路の切替要求を受信した場合に、前記コントローラにより前記第１及び第２の光スイッチの切替処理を行い、前記第１の伝送路出力装置を前記第２の下り伝送路に接続するようにした請求項３に記載の光１：１切替装置。
【請求項５】
複数のクライアント装置が接続され、第１の上り及び下り伝送路と、第２の上り及び下り伝送路を介してノード間で光信号を伝送する光１：１切替装置において、
前記ノードは、
伝送路側からクライアント装置側へ光信号を出力する第１及び第２の伝送路出力装置と、
クライアント装置側から伝送路側へ光信号を入力する第１及び第２の伝送路入力装置と、
前記第１の伝送路入力装置が接続され、第１及び第２の下り伝送路に分岐するための光分岐器と、
前記第1の上り伝送路又は前記第２の上り伝送路を、前記第1の伝送路出力装置への経路に接続する第１の光スイッチと、
前記第２の上り伝送路を、前記第１の光スイッチへの経路又は前記第２の伝送路出力装置への経路に接続する第２の光スイッチと、
前記光分岐器からの経路又は前記第２の伝送路入力装置からの経路を、前記第２の下り伝送路に接続する第３の光スイッチと、
前記第１乃至第３の光スイッチと、前記第１及び第２の伝送路入力装置、前記第１及び第２の伝送路出力装置を制御するコントローラとを備え、
他ノードとの間で第１の伝送路により信号を伝送しているとき、前記第1の上り伝送路又は前記第2の上り伝送路を介して前記他ノードから伝送路の切替要求を受信した場合に、前記コントローラが前記第３の光スイッチの切替処理を行ない、前記第1の伝送路入力装置を前記第2の下り伝送路に接続し、前記第２の下り伝送路を経て前記他のノードへ伝送路の切替要求を送信するようにした光１：１切替装置。
【請求項６】
複数のクライアント装置が接続され、第１の下り及び上り伝送路と第２の下り及び上り伝送路を介してノード間で光信号を伝送するための光１：１切替装置において、
前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１の伝送路入力装置が接続され、第１及び第２の下り伝送路に分岐するための光分岐器と、
前記光分岐器からの経路又は第２の伝送路入力装置からの経路を、第２の上り伝送路に接続するための第１の光スイッチと、
第１の下り伝送路又は第2の下り伝送路を、前記第1の伝送路出力装置への経路に接続するための第２の光スイッチと、
前記第１及び第２の光スイッチと、前記第１及び第２の伝送路入力装置、前記第１及び第２の伝送路出力装置を制御するコントローラとを備え、
他ノードとの間で第１の伝送路により信号を伝送しており、前記第１の下り伝送路の障害を検出した場合、前記第２のノードでは、前記コントローラが、前記第２の伝送路出力装置を制御して伝送経路を遮断又は減衰し、
前記他のノードへ、第１又は第２の上り伝送路を経て伝送路の切替要求を送信するようにした光１：１切替装置。
【請求項７】
前記他のノードへ伝送路の切替要求を送信した後で前記他ノードから伝送路の切替要求を受信した場合に、前記コントローラにより前記第２の光スイッチの切替処理を行い、前記第１の伝送路出力装置を前記第２の下り伝送路に接続するようにした請求項６に記載の光１：１切替装置。
【請求項８】
複数のクライアント装置が接続され、第１の下り及び上り伝送路と第２の下り及び上り伝送路を介してノード間で光信号を伝送するための光１：１切替装置において、
前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１の伝送路入力装置が接続され、第１及び第２の下り伝送路に分岐するための光分岐器と、
前記光分岐器からの経路又は第２の伝送路入力装置からの経路を、第２の下り伝送路に接続するための第１の光スイッチと、
第１の上り伝送路又は第2の上り伝送路を、前記第1の伝送路出力装置への経路に接続するための第２の光スイッチと、
前記第１及び第２の光スイッチと、前記第１及び第２の伝送路入力装置、前記第１及び第２の伝送路出力装置を制御するコントローラとを備え、
他ノードとの間で第１の伝送路により信号を伝送しており、前記第1の上り伝送路又は前記第2の上り伝送路を介して前記他ノードから伝送路の切替要求を受信した場合に、前記コントローラが前記第２の光スイッチの切替処理を行ない、前記第1の伝送路入力装置を前記第２の下り伝送路に接続し、前記第２の下り伝送路を経て前記他のノードへ伝送路の切替要求を送信するようにした光１：１切替装置。
【請求項９】
前記伝送路入力装置又は前記伝送路出力装置は、伝送経路を断とするゲート機能、光信号の出力を止めるようにされた電気光変換機能、又は、遮断するための信号を挿入して伝送経路を遮断する処理機能を備えたことを特徴とする請求項１乃至８のいずれかに記載の光１：１切替装置。
【請求項１０】
使用伝送路と前記伝送路入力装置及び前記伝送路出力装置との対応関係を記憶した第１の記憶部をさらに備え、
前記コントローラは、前記第１の記憶部に記憶された対応関係に従い、各々の前記スイッチを制御して、切替要求を相手ノードへ伝送することを特徴とする請求項１乃至１０のいずれかに記載の光１：１切替装置。
【請求項１１】
切替前と切替後において、それぞれ性能監視を行うための伝送路と前記伝送路入力装置及び前記伝送路出力装置との対応関係を記憶した第２の記憶部をさらに備え、
前記コントローラは、前記第２の記憶部に記憶された対応関係に従い、各々の前記スイッチを制御して、ノード間で通信することを特徴とする請求項１乃至１０のいずれかに記載の光１：１切替装置。
【請求項１２】
前記第１のノードは、前記第２のノードから切替要求を受信すると、前記コントローラにより前記第２の伝送路出力装置を制御して、伝送経路を遮断することを特徴とする請求項１乃至１１のいずれかに記載の光１：１切替装置。
【請求項１３】
前記コントローラによる切替処理の際、
第１の伝送路出力装置又は第１のクライアント装置には、第２の上り伝送路が接続されることを特徴とする請求項１乃至１２のいずれかに記載の光１：１切替装置。
【発明の詳細な説明】
【０００１】
【発明の属する技術分野】
本発明は、光１：１切替装置に係り、特に、ワーキング系とプロテクション系との間の切替時に送信部と対応する受信部との誤接続を防止するための光１：１切替装置に関する。
【０００２】
【従来の技術】
従来より、光１：１切替方式を実現する光スイッチのマトリックス構成は知られている。
図１２に、第１の従来例の光１：１切替方式の構成図を示す。この従来例では、エクストラ・トラフィックは収容不可である。
【０００３】
第１の従来例の光１：１切替方式では、異なる地点のクライアント装置１  ２００、２１０が、正常時には、下り及び上りの第一伝送路１８０、１８５を通じて通信を行う。その際、下りは、光スイッチ１４０、１６０が第一伝送路１８０を選択し、一方、上りは、光スイッチ１５０、１７０が第一伝送路１８５を選択する。下り又上りの第一伝送路１８０、１８５の故障時は、光スイッチ１４０、１５０、１６０、１７０の切替により、下り及び上りの第二伝送路１９０、１９５を使用して通信を行う。
【０００４】
つぎに、図１３に、第２の従来例の光１：１切替方式の構成図を示す。この従来例では、エクストラ・トラフィックが収容可能である。
第２の従来例の光１：１切替方式では、異なる地点のクライアント装置１  ２００、２１０は、第一伝送路１８０、１８５を通じて通信を行う。その際、下りは、光スイッチ１４５、１６５が第一伝送路１８０を選択し、一方、上りは、光スイッチ１７５、１５５が第一伝送路１８５を選択する。また、クライアント装置２  ２０５、２１５は、第二伝送路１９０、１９５を通じて通信を行う。その際、下りは、光スイッチ１４５、１６５が第二伝送路１９０を選択し、一方、上りは、光スイッチ１７５、１５５が第二伝送路１９５を選択する。
【０００５】
下り又は上り第一伝送路１８０、１８５の故障時は、光スイッチ１４５、１５５、１６５、１７５の切替により、クライアント装置１  ２００、２１０が第二伝送路１９０、１９５を通じて通信を行い、また、クライアント装置２  ２０５、２１５が第一伝送路１８０、１８５を通じて通信を行う。
【０００６】
つぎに、図１４に、従来の光１＋１切替方式の構成図を示す。
この光１＋１切替方式では、異なる地点のクライアント装置１  ２００、２１０が、正常時には、下り及び上りの第一伝送路１８０、１８５を通じて通信を行う。その際、下りは、ノード２  １３０の光スイッチ４１５が第一伝送路１８０を選択し、一方、上りは、ノード１  １２０の光スイッチ４１０が第一伝送路１８５を選択する。下り又上りの第一伝送路１８０、１８５の故障時は、光スイッチ４１５、４１０の切替により、下り及び上りの第二伝送路１９０、１９５を使用して通信を行う。
【０００７】
【発明が解決しようとする課題】
光１：１切替構成では、光１＋１切替構成に比べて、例えば、（１）ノード間で制御信号の通信が可能であること、及び、（２）エクストラ・トラフィックが収容可能であること、という特徴がある。しかしながら、光スイッチが伝送路の対応関係を変えるため、例えば、以下のような課題Ａ）〜Ｃ）等が生じる。
Ａ）エクストラ・トラフィックを収容する場合、図１３のような光スイッチのみを使用する切替部の構成では、切替設定中に、クライアント間の接続関係の誤接続が起こる場合がある。
【０００８】
図１５に、切替設定中（切替要求中）におけるクライアント間の誤接続の説明図を示す。この図は、下り方向の通信において、第一伝送路１８０の故障時で、切替中に起こる誤接続を説明するものである。
正常時には、下り第一伝送路１８０を使用して、クライアント装置１  ２００の送信部２００ａ及びクライアント装置１  ２１０の受信部２１０ｂが接続される。また、下り第二伝送路１９０を使用して、クライアント装置２  ２０５の送信部２０５ａとクライアント装置２  ２１５の受信部２１５ｂが接続される。
【０００９】
ここで、障害・保守等の場合、送信ノード１  １２０側の光スイッチ１４５、１５５が切替えられる。この切替設置中（送信ノード１  １２０の切替後）、両者の接続が反転し誤接続が生じる場合がある。すなわち、下り第二伝送路１９０を使用して、クライアント装置１  ２００の送信部２００ａ及びクライアント装置２  ２１５の受信部２１５ｂが接続され、また、下り第一伝送路１８０を使用して、クライアント装置２  ２０５の送信部２０５ａとクライアント装置１  ２１０の受信部２１０ｂが接続される。なお、切替が終了すると（送信ノード１  １２０及び受信ノード２  １３０の両方の切替後）、接続関係は正常になる。
【００１０】
また、光スイッチを付加することにより、上述した従来の光１＋１切替構成から光１：１切替構成に拡張することができる。光１＋１切替構成から拡張した送信側に光分岐を使用する切替部の構成（後述の図６、図７参照）では、切替中と切替後において、以下の課題Ｂ）、Ｃ）のような誤接続が生じる場合がある。
Ｂ）光スイッチの設置位置が、切替制御通信の起点及び終点より伝送路側にある場合、切替設定（切替要求）中又は後に、通信信号の送受信器の対応関係が変化する。
Ｃ）光スイッチの設置位置が、性能監視点より伝送路側にある場合、切替設定（切替要求）中又は後に、監視を行べき信号と監視するための受信器の対応関係が変化する。
【００１１】
本発明は、以上の点に鑑み、障害又は保守等によるワーキング系及びプロテクション系との間で切替える場合、切替設定中（切替要求中）の送信部と受信部との誤接続を防止する光１：１切替装置を提供することを目的とする。
【００１２】
【課題を解決するための手段】
本発明の第一の解決手段によると、
複数のクライアント装置が接続され、第１の下り及び上り伝送路と第２の下り及び上り伝送路を介してノード間で光信号を伝送するための光１：１切替装置において、
各々の前記ノードは、
第１及び第２のクライアント装置と第１又は第２の下り伝送路とを切替接続し、第１及び第２のクライアント装置と第１又は第２の上り伝送路を切替接続する光スイッチと、
第２のクライアント端末と前記光スイッチとの間に設けられた上り及び下りゲートと、
前記光スイッチと、前記上り及び下りゲートを制御するコントローラと
を備え、
第１のノードと第２のノードとの間で第１の下り伝送路により信号を伝送しているとき、前記第２のノードにより、第１の下り伝送路の障害が検出された場合、前記第２のノードでは、前記コントローラが、前記第２のクライアント端末を制御して伝送経路を遮断又は減衰することにより、誤接続防止処理を実行し、
前記第２のノードから前記第１のノードに、第１又は第２の上り伝送路を経て切替要求を送信し、
前記第１のノードは、切替要求を受信すると、前記コントローラにより前記光スイッチの切替処理を行い、前記第１のクライアント端末を第２の下り伝送路に接続し、
前記第１のノードから前記第２のノードに、第２の下り伝送路を経て切替要求を送信し、
前記第２のノードでは、切替要求を受信すると、前記コントローラにより前記光スイッチの切替処理を行い、前記第１のクライアント端末を第２の下り伝送路に接続するようにした光１：１切替装置
を提供する。
【００１３】
本発明の第二の解決手段によると、
複数のクライアント装置が接続され、第１の下り及び上り伝送路と第２の下り及び上り伝送路を介してノード間で光信号を伝送するための光１：１切替装置において、
各々の前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１及び第２の伝送路入力装置が接続され、第１又は第２の下り伝送路に切り替えるための第１の光スイッチと、
前記第１及び第２の伝送路出力装置が接続され、第１又は第２の上り伝送路に切り替えるための第２の光スイッチと、
前記第１及び第２の光スイッチと、前記第１及び第２の伝送路入力装置、前記第１及び第２の伝送路出力装置を制御するコントローラと
を備え、
第１のノードと第２のノードとの間で第１の下り伝送路により信号を伝送しているとき、前記第２のノードにより、第１の下り伝送路の障害が検出された場合、前記第２のノードでは、前記コントローラが、前記第２の伝送路出力装置を制御して伝送経路を遮断又は減衰することにより、誤接続防止処理を実行し、
前記第２のノードから前記第１のノードに、第１又は第２の上り伝送路を経て切替要求を送信し、
前記第１のノードは、切替要求を受信すると、前記コントローラにより前記第１の光スイッチの切替処理を行い、前記第１の伝送路入力装置を第２の下り伝送路に接続し、
前記第１のノードから前記第２のノードに、第２の下り伝送路を経て切替要求を送信し、
前記第２のノードでは、切替要求を受信すると、前記コントローラにより前記第１の光スイッチの切替処理を行い、前記第１の伝送路出力装置を第２の下り伝送路に接続するようにした光１：１切替装置
を提供する。
【００１４】
本発明の第三の解決手段によると、
複数のクライアント装置が接続され、第１の下り及び上り伝送路と第２の下り及び上り伝送路を介してノード間で光信号を伝送するための光１：１切替装置において、
各々の前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１の伝送路入力装置が接続され、第１及び第２の下り伝送路に分岐するための光分岐器と、
前記光分岐器又は第２の伝送路入力装置を、第２の下り伝送路に接続するための第１の光スイッチと、
第１の伝送路出力装置又は第２の伝送路出力装置への経路に、第２の上り伝送路を接続するための第２の光スイッチと、
前記第２の光スイッチからの経路又は第１の上り伝送路を、第１の伝送路出力装置に接続するための第３の光スイッチと、
前記第１乃至第３の光スイッチと、前記第１及び第２の伝送路入力装置、前記第１及び第２の伝送路出力装置を制御するコントローラと
を備え、
第１のノードと第２のノードとの間で第１の下り伝送路により信号を伝送しているとき、前記第２のノードにより、第１の下り伝送路の障害が検出された場合、前記第２のノードでは、前記コントローラが、前記第２の伝送路出力装置を制御して伝送経路を遮断又は減衰することにより、誤接続防止処理を実行し、
前記第２のノードから前記第１のノードに、第１又は第２の上り伝送路を経て切替要求を送信し、
前記第１のノードは、切替要求を受信すると、前記コントローラにより前記第１の光スイッチの切替処理を行い、前記第１の伝送路入力装置を第２の下り伝送路に接続し、
前記第１のノードから前記第２のノードに、第２の下り伝送路を経て切替要求を送信し、
前記第２のノードでは、切替要求を受信すると、前記コントローラにより前記第１の光スイッチの切替処理を行い、前記第１の伝送路出力装置を第２の下り伝送路に接続するようにした光１：１切替装置
を提供する。
【００１５】
本発明の第四の解決手段によると、
複数のクライアント装置が接続され、第１の下り及び上り伝送路と第２の下り及び上り伝送路を介してノード間で光信号を伝送するための光１：１切替装置において、
各々の前記ノードは、
クライアント装置側から伝送路側へ光信号を入力する第１及び第２の伝送路入力装置と、
伝送路側からクライアント装置側へ光信号を出力する第１及び第２の伝送路出力装置と、
前記第１の伝送路入力装置が接続され、第１及び第２の下り伝送路に分岐するための光分岐器と、
前記光分岐器又は第２の伝送路入力装置を、第２の下り伝送路に接続するための第１の光スイッチと、
第１又は第２の伝送路出力装置に、第１又は第２の上り伝送路を接続するための第２の光スイッチと、
前記第１及び第２の光スイッチと、前記第１及び第２の伝送路入力装置、前記第１及び第２の伝送路出力装置を制御するコントローラと
を備え、
第１のノードと第２のノードとの間で第１の下り伝送路により信号を伝送しており、前記第２のノードにより、第１の下り伝送路の障害が検出された場合、前記第２のノードでは、前記コントローラが、前記第２の伝送路出力装置を制御して伝送経路を遮断又は減衰することにより、誤接続防止処理を実行し、
前記第２のノードから前記第１のノードに、第１又は第２の上り伝送路を経て切替要求を送信し、
前記第１のノードは、切替要求を受信すると、前記コントローラにより前記第１の光スイッチの切替処理を行い、前記第１の伝送路入力装置を第２の下り伝送路に接続し、
前記第１のノードから前記第２のノードに、第２の下り伝送路を経て切替要求を送信し、
前記第２のノードでは、切替要求を受信すると、前記コントローラにより前記第１の光スイッチの切替処理を行い、前記第１の伝送路出力装置を第２の下り伝送路に接続するようにした光１：１切替装置
を提供する。
【００１６】
本発明の第五の解決手段によると、
複数のクライアント装置が接続され、第１の下り及び上り伝送路と第２の下り及び上り伝送路を介してノード間で光信号を伝送するための光１：１切替装置において、
各々の前記ノードは、
クライアント装置側から入力された信号を、第１又は第２の下り伝送路へ、それぞれ所定の波長分割多重チャネルの光信号として送信する第１及び第２の伝送路入力装置と、
クライアント装置側へ出力するための信号を、第１又は第２の上り伝送路から、それぞれ所定の波長分割多重チャネルの光信号として受信する第１及び第２の伝送路出力装置と、
第１又は第２のクライアント装置を、前記第１又は第２の伝送路入力装置に切り替えるための第１の光スイッチと、
前記第１及び第２の伝送路出力装置を、第１又は第２のクライアント装置に切り替えるための第２の光スイッチと、
前記第１及び第２の光スイッチと、前記第１及び第２の伝送路入力装置、前記第１及び第２の伝送路出力装置を制御するコントローラと
を備え、
第１のノードと第２のノードとの間で第１の下り伝送路により信号を伝送しており、前記第２のノードにより、第１の下り伝送路の障害が検出された場合、前記第２のノードから前記第１のノードに、第１又は第２の上り伝送路を経て切替要求を送信し、
前記第１のノードは、切替要求を受信すると、前記コントローラにより前記第１の光スイッチの切替処理を行い、前記第１の伝送路入力装置を第２の下り伝送路に接続し、
前記第１のノードから前記第２のノードに、第２の下り伝送路を経て切替要求を送信し、
前記第２のノードでは、切替要求を受信すると、前記コントローラにより前記第１の光スイッチの切替処理を行い、前記第１の伝送路出力装置を第２の下り伝送路に接続するようにした光１：１切替装置
を提供する。
【００１７】
【発明の実施の形態】
（１）第１の実施の形態
図１に、本発明に係る光１：１切替装置の第１の実施の形態の構成図を示す。第１の実施の形態では、上述した図１３の構成に加え、図示のように、ノード１２２０及びノード２  ２２５に、それぞれ、制御コントローラ２３０及び２３５、駆動回路２４０及び２４５、ゲート２６０ａ、２６０ｂ、２６５ａ、２６５ｂを備える。
【００１８】
ノード１  ２２０では、制御コントローラ２３０は、駆動回路２４０を制御し、駆動回路２４０はその制御により、ゲート２６０ａ及び２６０ｂを駆動する。ゲート２６０ａ及び２６０ｂは、その駆動により信号をオン・オフ制御する。ノード２  ２２５でも、同様の動作が行われる。
【００１９】
この実施の形態では、上述の課題Ａ）を解決するために、ライン上にゲート２６０ａ，２６０ｂ、２６５ａ，２６５ｂを用意して、クライアント装置２  ２０５、２１５からの信号及びクライアント２  ２０５、２１５への信号を適宜遮断して誤接続を防止する。
【００２０】
図２に、伝送路の切替中の誤接続を防止するためのシーケンス図を示す。ここでは、一例として、下り方向の通信において、第一伝送路１８０の故障時のゲート遮断等の切替手順等について説明するが、故障以外の保守などの適宜の場合の切替時、上り方向の伝送路又は第二伝送路等の他の伝送路に関しても同様に切替を実現することができる。
【００２１】
まず、送信ノード１  ２２０と受信ノード２  ２２５との間で信号が伝送されており、受信ノード２  ２２５では、第一伝送路（下り）１８０の性能監視を行っている（２７４）。このとき、第一伝送路（下り）１８０の障害が検出された場合（２７６）、誤接続防止処理を実行する（２７８）。この処理において、ノード２  ２２５では、制御コントローラ２３５が駆動回路２４５を制御して、ゲート２６５ｂを遮断する。つぎに、受信ノード２  ２２５から送信ノード１  ２２０に、切替要求を送信する（２８０）。受信ノード２  ２２５から送信ノード１  ２２０への切替要求２８２は、第一伝送路（上り）１８５又は第二伝送路（上り）１９５を経て伝送することができる。
【００２２】
一方、送信ノード１  ２２０では、切替要求を受信すると（２８４）、誤接続防止処理を実行する（２８６）。この処理において、送信ノード１  ２２０では、制御コントローラ２３０が駆動回路２４０を制御して、ゲート２６０ａを遮断する。つぎに、光切替部２５０が切り替えられ（２８８）、クライアント装置１２００の送信部２００ａと第二伝送路（下り）１９０が接続される。なお、このとき、クライアント装置１  ２００では、受信部２００ｂと第二伝送路（上り）１９５が接続され、クライアント装置２  ２０５では、受信部２０５ｂと第一伝送路（上り）１８５が接続される。
【００２３】
つぎに、送信ノード１  ２２０から受信ノード２  ２２５に、切替要求を送信する（２９０）。送信ノード１  ２２０から受信ノード２  ２２５への切替要求２９２は、第二伝送路（下り）１９０を経て伝送することができる。受信ノード２  ２２５では、切替要求を受信すると（２９４）、光切替部２５５が切り替えられ（２９６）、クライアント装置１  ２１０の受信部２１０ｂと第二伝送路（下り）１９０が接続される。なお、このとき、クライアント装置１  ２１０では、送信部２１０ａと第二伝送路（上り）１９５が接続され、クライアント装置２では、受信部２１５ｂはゲート２６５ａで遮断されており、送信部２１５ａと第一伝送路（上り）１８５が接続される。ノード２  ２２５では、第二伝送路（下り）１９０の性能監視が行われる（２９８）。
なお、誤接続防止処理（２７８，２８６）において、ゲート２６０ｂ、ゲート２６５ａをそれぞれ遮断するようにしてもよい。
【００２４】
（２）第２の実施の形態
図３に、伝送路入力装置及び伝送路出力装置を具備する光１：１切替方式の第２の実施の形態の構成図を示す。第２の実施の形態では、上述した図１３の構成に加え、ノード１  ２２０及びノード２  ２２５に、それぞれ、制御コントローラ２３０及び２３５、駆動回路２４０及び２４５を備え、さらに、各ノードへの入力ラインに伝送路入力装置３４０、３４５、３６０、３６５を、各ノードからの出力ラインに伝送路出力装置３５０、３５５、３７０、３７５が、それぞれ設けられている。なお、光スイッチ３００，３１０，３０５，３１５は、これらの伝送路入力装置及び出力装置より伝送路側にある。
【００２５】
伝送路入力装置３４０、３４５、３６０、３６５は、クライアント装置１  ２００，２１０、クライアント装置２  ２０５，２１５からの光信号を電気信号に変換するＯ／Ｅ変換部３４０ａ、３４５ａ、３６０ａ、３６５ａ、性能監視、通信信号送受信、多重等を行う処理部３４０ｂ、３４５ｂ、３６０ｂ、３６５ｂ、電気信号を伝送路に適した光信号（波長）に変換するＥ／Ｏ変換部３４０ｃ、３４５ｃ、３６０ｃ、３６５ｃを備え、伝送路に信号を入力する。なお、クライアント側の信号速度と伝送路側の伝送速度、信号フォーマットが変わっても構わない。但し、伝送路側においては、伝送速度、信号フォーマットとも統一される。
【００２６】
また、伝送路出力装置３５０、３５５、３７０、３７５は、伝送路からの光信号を電気信号に変換するＯ／Ｅ変換部３５０ａ、３５５ａ、３７０ａ、３７５ａ、性能監視、通信信号送受信、分離等を行う処理部３５０ｂ、３５５ｂ、３７０ｂ、３７５ｂ、電気信号を光信号に変換するＥ／Ｏ変換部３５０ｃ、３５５ｃ、３７０ｃ、３７５ｃを備え、クライアントに信号を入力する装置である。
【００２７】
このような構成において、上述の課題Ａ）を解決するため、図１で説明したゲート機能を、伝送路入力装置３４０、３４５、３６０、３６５と伝送路出力装置３５０、３５５、３７０、３７５によって実現する。信号遮断方法には、例えば、以下の２通りによる。
▲１▼  Ｅ／Ｏ変換部３６０ｃ、３６５ｃ、３７０ｃ、３７５ｃで、そこから出力される光信号出力を止める。
▲２▼  処理部３６０ｂ、３６５ｂ、３７０ｂ、３７５ｂで、ＡＩＳ(Alarm Indication Signal)等制御信号を挿入して伝送される信号を遮断する。
【００２８】
なお、このとき、伝送路出力装置３７５等は、信号遮断時においても、入力された信号の性能監視等を行うことができる。
上述のように、光スイッチのみの切替部を用いた従来の光１：１切替方式では、伝送路切替中に誤接続が発生する。そこで、本実施の形態では、処理部３６０ｂ、３６５ｂ、３７０ｂ、３７５ｂにゲート機能を有する伝送路入力装置３６０、３６５、伝送路出力装置３７０、３７５を設けることにより、伝送される信号を遮断又は十分減衰することで誤接続を防止する。
【００２９】
また、従来切替中に切替制御信号の通信の起点、終点の対応関係が異なる場合があったが、次のような対応表をあらかじめ、制御コントローラ２３０、２３５又は他の記憶部に備えておき、ノード間で通信を行う。
【００３０】
図４に、図３の切替構成時において切替制御通信を行うための伝送路と各伝送路入出力装置との対応関係の説明図を示す。
図２のシーケンス図において、受信ノード２  ２２５から送信ノード１  ２２０への切替要求（２８２）では、主たる優先順位として、第二伝送路（上り）１９５を経て、伝送路入力装置３６５から伝送路出力装置３７０へ伝送されるように対応付ける。次の優先順位として、第一伝送路（上り）１８５を経て、伝送路入力装置３４５から伝送路出力装置３６０へ伝送されるように対応付ける。これにより、第一伝送路（下り）１８０が障害等の場合、正常である確率が第一伝送路（上り）１８５より高いと考えられる第二伝送路（上り）１９５を使用することができる。一方、送信ノード１  ２２０から受信ノード２  ２２５への切替要求（２９２）では、主たる優先順位として、第二伝送路（下り）１９０を経て、伝送路入力装置３７５から伝送路出力装置３４０へ伝送されるように対応付ける。次の優先順位として、第二伝送路（下り）１８０を経て、伝送路入力装置３５５から伝送路出力装置３６０へ伝送されるように対応付ける。この場合も同様に、正常である確率が一層高い方の伝送路を用いて、より確実に切替要求を伝送することができる。
【００３１】
また、上述の課題Ｂ）を解決するため、本実施の形態では、各ノードの切替状態における使用伝送路と伝送路入出力装置との対応関係を制御コントローラ２３０、２３５内の記憶部又はその他の記憶部に備えておき、その対応関係に従って制御通信信号の送受信を各ノードで行うことができる。また、本実施の形態では、伝送路入力出力装置の各処理部に制御通信信号を挿入／分岐する機能を有する場合に、各ノードの切替状態における使用伝送路と伝送路入出力装置との対応関係を制御コントローラ２３０、２３５内の記憶部又はその他の記憶部に備えておき、その対応関係に従って制御通信信号の送受信を各ノードで行うことができる。
【００３２】
また、上述の課題Ｃ）を解決するため、本実施の形態では、各ノードの切替状態における使用伝送路と伝送路入出力装置との対応関係を制御コントローラ２３０、２３５内の記憶部又はその他の記憶部に備えておき、その対応関係に従って使用伝送路の性能監視を行うことができる。また、本実施の形態では、伝送路入力出力装置の処理部に光信号の性能を監視する機能を有する場合に、各ノードの切替状態における使用伝送路と伝送路入出力装置との対応関係を制御コントローラ２３０、２３５内の記憶部又はその他の記憶部に備えておき、その対応関係に従って伝送路の性能監視を各ノードで行うことができる。
【００３３】
具体的には、例えば、切替前後で、監視する伝送路と伝送路入出力装置との対応関係が異なるが、次のような対応表をあらかじめ、制御コントローラ２３０、２３５又は他の記憶部に備えておき、性能監視を行う。
【００３４】
図５に、図３の切替構成時において性能監視を行うための伝送路と各伝送路入出力装置との対応関係の説明図を示す。
正常時（切替前）、伝送路入力装置３４０は第一伝送路（下り）１８０を介して信号を送信し、伝送路出力装置３５５は受信した信号の性能を判定する。同様に、伝送路入力装置３４５は第一伝送路（上り）１８５を介して信号を送信し、伝送路出力装置３５０は受信した信号の性能を判定する。伝送路入力装置３６０は第二伝送路（下り）１９０を介して信号を送信し、伝送路出力装置３７５は受信した信号の性能を判定する。伝送路入力装置３６５は第二伝送路（上り）１９５を介して信号を送信し、伝送路出力装置３７０は受信した信号の性能を判定する。
【００３５】
一方、切替後、伝送路入力装置３４０は第二伝送路（下り）１９０を介して信号を送信し、伝送路出力装置３５５は受信した信号の性能を判定する。同様に、伝送路入力装置３４５は第二伝送路（上り）１９５を介して信号を送信し、伝送路出力装置３５０は受信した信号の性能を判定する。伝送路入力装置３６０は第一伝送路（下り）１８０を介して信号を送信し、伝送路出力装置３７０は受信した信号の性能を判定する。伝送路入力装置３６５は第一伝送路（上り）１８５を介して信号を送信し、伝送路出力装置３７０は受信した信号の性能を判定する。
【００３６】
このように、第２の実施の形態では、ゲート機能を有する伝送路入力装置３６０、３６５、伝送路出力装置３７０、３７５により、信号を遮断して誤接続を防止する。また、図４における使用伝送路と伝送路入出力装置との対応関係を制御コントローラ２３０、２３５等に保持しておき、ノード間の通信を行う。さらに、図５における使用伝送路と監視に用いる伝送路入出力装置との対応関係を制御コントローラ２３０、２３５等に保持しておき、伝送路の性能監視を各ノードで行う。
【００３７】
（３）第３の実施の形態
図６に、光１＋１切替方式から拡張された光１：１切替方式の第３の実施の形態の構成図を示す。第３の実施の形態は、切替部には、第一クライアントからの信号を分岐する構成を含み、光１＋１切替方式から拡張した構成である。
【００３８】
この実施の形態は、上述した図１４の光１＋１切替構成に加え、クライアント装置２  ２０５，２１５、第二伝送路１９０，１９５が付加され、光１：１切替構成に拡張されたものである。そのため、ノード１  ２２０では、光スイッチ４１０，４２０，４３０が設けられ、ノード２  ２２５では、光スイッチ４１５，４２５，４３５が設けられる。また、ノード１  ２２０及びノード２  ２２５に、それぞれ、制御コントローラ２３０及び２３５、駆動回路２４０及び２４５を備え、さらに、各ノードからの入力ラインに伝送路入力装置３４０、３４５、３６０、３６５を、各ノードへの出力ラインに伝送路出力装置３５０、３５５、３７０、３７５が、それぞれ設けられている。
【００３９】
この実施の形態では、伝送路出力装置３７５、３７０は、切替後に、光スイッチ４３０、４３５により第一伝送路１８０、１８５に接続されない。従って、切替中のみ、クライアントの誤接続が発生する場合がある。
【００４０】
また、この光１：１切替方式においては、例えば、光スイッチ４２０、４３５とゲート機能を有する伝送路出力装置３７０、３７５により、信号を遮断して誤接続を防止する。図２の切替シーケンス図において、ノード２  ２２５における誤接続防止処理（２７８）で、伝送路出力装置３７５により信号の遮断を行う。
この光１＋１切替方式において、次のような使用伝送路と伝送路入出力装置との対応関係を制御コントローラ２３０、２３５に保持しておき、ノード間の通信を行うことができる。
【００４１】
図７に、図６の切替構成時において切替制御通信を行うための伝送路と各伝送路入出力装置との対応関係の説明図を示す。
図２のシーケンス図において、受信ノード２  ２２５から送信ノード１  ２２０への切替要求（２８２）では、主たる優先順位として、第二伝送路（上り）１９５を経て、伝送路入力装置３６５から伝送路出力装置３７０へ伝送されるように対応付ける。次の優先順位として、第一伝送路（上り）１８５を経て、伝送路入力装置３４５から伝送路出力装置３５０へ伝送されるように対応付ける。一方、送信ノード１  ２２０から受信ノード２  ２２５への切替要求（２９２）では、主たる優先順位として、第二伝送路（下り）１９０を経て、伝送路入力装置３４０から伝送路出力装置３７５へ伝送されるように対応付ける。次の優先順位として、第二伝送路（下り）１８０を経て、伝送路入力装置３４０から伝送路出力装置３５５へ伝送されるように対応付ける。このようにして、第一伝送路（下り）１８０が障害等の場合正常である確率が第一伝送路（上り）１８５より高い第二伝送路１９０又は１９５を用いて一層確実に切替要求を伝送することができる。
【００４２】
また、図６において、次のような使用伝送路と監視に用いる伝送路入出力装置との対応関係を制御コントローラ２３０、２３５に保持しておき、伝送路の性能監視を各ノードで行う。
【００４３】
図８に、図６の切替構成時において性能監視を行うための伝送路と各伝送路入出力装置との対応関係の説明図を示す。
【００４４】
正常時（切替前）、伝送路入力装置３４０は第一伝送路（下り）１８０を介して信号を送信し、伝送路出力装置３５５は受信した信号の性能を判定する。同様に、伝送路入力装置３４５は第一伝送路（上り）１８５を介して信号を送信し、伝送路出力装置３５０は受信した信号の性能を判定する。伝送路入力装置３６０は、第二伝送路（下り）１９０を介して信号を送信し、伝送路出力装置３７５は受信した信号の性能を判定する。伝送路入力装置３６５は、第二伝送路（上り）１９５を介して信号を送信し、伝送路出力装置３７０は受信した信号の性能を判定する。
【００４５】
一方、切替後、伝送路入力装置３４０は第二伝送路（下り）１９０を介して信号を送信し、伝送路出力装置３５５は受信した信号の性能を判定する。同様に、伝送路入力装置３４５は、第二伝送路（上り）１９５を介して信号を送信し、伝送路出力装置３５０は受信した信号の性能を判定する。第一伝送路（下り）１８０及び第一伝送路（上り）１８５は、光スイッチ４１５、４１０により伝送路出力装置から切り離される。
【００４６】
（４）第４の実施の形態
図９に、光１＋１切替方式から拡張された光１：１切替方式の第４の実施の形態の構成図を示す。第４の実施の形態は、切替部には、クライアント１  ２００からの信号を分岐する構成を含み、光１＋１切替方式からの拡張した構成である。
【００４７】
この実施の形態は、上述した図１４の光１＋１切替構成に加え、クライアント装置２  ２０５，２１５、第二伝送路１９０，１９５が付加され、光１：１切替構成に拡張されたものである。そのため、ノード１  ２２０では、光スイッチ４４０，４２０が設けられ、ノード２  ２２５では、光スイッチ４４５，４２５が設けられる。また、ノード１  ２２０及びノード２  ２２５に、それぞれ、制御コントローラ２３０及び２３５、駆動回路２４０及び２４５を備え、さらに、各ノードからの入力ラインに伝送路入力装置３４０、３４５、３６０、３６５を、各ノードへの出力ラインに伝送路出力装置３５０、３５５、３７０、３７５が、それぞれ設けられている。
【００４８】
この実施の形態では、伝送路出力装置３７５、３７０は、切替後に、光スイッチ４４５、４４０により第一伝送路１８０、１８５に性能監視のため接続される。従って、切替中及び切替後に、クライアントの誤接続が発生する場合がある。
【００４９】
この光１：１切替方式において、光スイッチ４２０、４２５とゲート機能を有する伝送路出力装置３７０、３７５により、信号を遮断して誤接続を防止する。図２の切替シーケンス図において、ノード２  ２２５における誤接続防止処理２７８で、伝送路出力装置３７５により信号の遮断を行う。
【００５０】
また、この光１＋１光切替方式において、上述の図７で説明したように、使用伝送路と伝送路入出力装置との対応関係を制御コントローラ２３０、２３５に保持しておき、ノード間の通信を行うことができる。なお、対応及び処理に関する詳細は、上述の第３の実施の形態と同様である。
【００５１】
また、図９の光１＋１切替構成では、次のような使用伝送路と監視に用いる伝送路入出力装置との対応関係を制御コントローラ２３０、２３５に備えておき、伝送路の性能監視を各ノードで行う。
【００５２】
図１０に、図７の切替構成時において性能監視を行うための伝送路と各伝送路入出力装置との対応関係の説明図を示す。
正常時（切替前）、伝送路入力装置３４０は第一伝送路（下り）１８０を介して信号を送信し、伝送路出力装置３５５は受信した信号の性能を判定する。同様に、伝送路入力装置３４５は第一伝送路（上り）１８５を介して信号を送信し、伝送路出力装置３５０は受信した信号の性能を判定する。伝送路入力装置３６０は、第二伝送路（下り）１９０を介して信号を送信し、伝送路出力装置３７５は受信した信号の性能を判定する。伝送路入力装置３６５は、第二伝送路（上り）１９５を介して信号を送信し、伝送路出力装置３７０は受信した信号の性能を判定する。
【００５３】
一方、切替後、伝送路入力装置３４０は第二伝送路（下り）１９０を介して信号を送信し、伝送路出力装置３５５は受信した信号の性能を判定する。同様に、伝送路入力装置３４５は、第二伝送路（上り）１９５を介して信号を送信し、伝送路出力装置３５０は受信した信号の性能を判定する。伝送路入力装置３４０は、また、第一伝送路（下り）１８０を介して信号を送信し、伝送路出力装置３７５は受信した信号の性能を判定する。伝送路入力装置３４５は、また、第一伝送路（上り）１８５を介して信号を送信し、伝送路出力装置３７０は受信した信号の性能を判定する。
【００５４】
（５）第５の実施の形態
図１１に、光１：１切替構成の第５の実施の形態の構成図を示す。
この実施の形態では、上述の課題Ｂ）を解決するために、光スイッチの設置位置が制御通信信号の起点及び終点より伝送路側に置かれるようしており、波長分割多重（ＷＤＭ）伝送路の光監視チャネル（Optical Supervised Channel）を利用して、切替制御通信を行う。
【００５５】
この光１：１実施の形態では、上述した図１３の構成に加え、ノード１  ２２０及びノード２  ２２５に、それぞれ、制御コントローラ２３０及び２３５、駆動回路２４０及び２４５を備え、さらに、各伝送路に対してＷＤＭ伝送装置５００、５０５、５１０、５１５、５２０、５２５、５３０、５３５が、それぞれ設置されている。
【００５６】
ＷＤＭ伝送装置５００、５０５、５１０、５１５、５２０、５２５、５３０、５３５は、それぞれ、多重分離部５００ａ、５０５ａ、５１０ａ、５１５ａ、５２０ａ、５２５ａ、５３０ａ、５３５ａ、光監視チャネル（Optical Supervised Channel）伝送装置。（ＯＳＣ）５００ｂ、５０５ｂ、５１０ｂ、５１５ｂ、５２０ｂ、５２５ｂ、５３０ｂ、５３５ｂ、
を備える。
【００５７】
このような光１：１切替構成において、制御コントローラ２３０、２３５がＷＤＭ伝送装置５００、５０５、５１０、５１５、５２０、５２５、５３０、５３５と情報の授受を行うためのインターフェース２３３、２３８を持ち、ＷＤＭ伝送装置内の発振部５００ｂ、５０５ｂ、５１０ｂ、５１５ｂ、５２０ｂ、５２５ｂ、５３０ｂ、５３５ｂによる各々の波長分割多重チャネルを通して、切替制御信号の通信をノード間で行うことにより、切替中、切替後の切替制御通信の送受信関係が変化しないことが可能となる。
【００５８】
この構成では、制御切替信号の通信の送受信を行う起点、終点が光切替部より伝送路側にあるため、通信信号の送受信器の対応関係の変化が起こらず、制御コントローラにより実現する切替アルゴリズムが容易になる。
【００５９】
【発明の効果】
本発明によると、以上のように、障害又は保守等によるワーキング系及びプロテクション系との間で切替える場合、切替設定中（切替要求中）の送信部と受信部との誤接続を防止する光１：１切替装置を提供することができる。
【図面の簡単な説明】
【図１】本発明に係る光１：１切替装置の第１の実施の形態の構成図。
【図２】伝送路の切替中の誤接続を防止するためのシーケンス図。
【図３】伝送路入力装置及び伝送路出力装置を具備する光１：１切替方式の第２の実施の形態の構成図。
【図４】図４に、図３の切替構成時において切替制御通信を行うための伝送路と各伝送路入出力装置との対応関係の説明図。
【図５】図３の切替構成時において性能監視を行うための伝送路と各伝送路入出力装置との対応関係の説明図。
【図６】光１＋１切替方式から拡張された光１：１切替方式の第３の実施の形態の構成図。
【図７】、図６の切替構成時において切替制御通信を行うための伝送路と各伝送路入出力装置との対応関係の説明図。
【図８】図６の切替構成時において性能監視を行うための伝送路と各伝送路入出力装置との対応関係の説明図。
【図９】光１＋１切替方式から拡張された光１：１切替方式の第４の実施の形態の構成図。
【図１０】図７の切替構成時において性能監視を行うための伝送路と各伝送路入出力装置との対応関係の説明図。
【図１１】光１：１切替構成の第５の実施の形態の構成図。
【図１２】従来の第１の光１：１切替方式の構成図。
【図１３】従来の第２の光１：１切替方式の構成図。
【図１４】従来の光１＋１切替方式の構成図。
【図１５】切替設定中（切替要求中）におけるクライアント間の誤接続の説明図。
【符号の説明】
１８０  第一伝送路（下り）
１８５  第一伝送路（上り）
１９０  第二伝送路（下り）
１９５  第二伝送路（上り）
２００  クライアント装置１
２０５  クライアント装置２
２２０  ノード１
２２５  ノード２
２３０、２３５  制御コントローラ
２４０、２４５  駆動回路
３４０、３４５、３６０、３６５  伝送路入力装置
３５０、３５５、３７０、３７５  伝送路出力装置
４００、４０５  光分岐
【図１】
0003686824.tif 000002
【図２】
0003686824.tif 000003
【図３】
0003686824.tif 000004
【図４】
0003686824.tif 000005
【図５】
0003686824.tif 000006
【図６】
0003686824.tif 000007
【図７】
0003686824.tif 000008
【図８】
0003686824.tif 000009
【図９】
0003686824.tif 000010
【図１０】
0003686824.tif 000011
【図１１】
0003686824.tif 000012
【図１２】
0003686824.tif 000013
【図１３】
0003686824.tif 000014
【図１４】
0003686824.tif 000015
【図１５】
0003686824.tif 000016